(57)【要約】【課題】必要に応じてモータを回転させ、無駄な電気代がかかることを防止することができる高圧水噴射装置を提供する。【解決手段】ポンプＰとポンプＰを駆動するモータＭを有する高圧水発生機Ｊと、噴射ガンＧと、高圧水発生機Ｊと噴射ガンＧを連通連結する可撓管体Ｈと、を備え、ポンプＰからの高圧水を可撓管体Ｈを介して噴射ガンＧから噴射するように構成し、噴射ガンＧが、細長管体１と、細長管体１の基端に付設された基端グリップ部２と、細長管体１の中間に付設された中間グリップ部３と、を有する高圧水噴射装置に於て、モータＭをＯＮ／ＯＦＦさせる信号を送信する送信ユニットを中間グリップ部３に内蔵する。信号を受信してモータＭをＯＮ／ＯＦＦさせる受信ユニットＲを高圧水発生機Ｊに付設する。【選択図】図１
2015093213.tif 000002
【特許請求の範囲】
【請求項１】
ポンプ（Ｐ）と該ポンプ（Ｐ）を駆動するモータ（Ｍ）を有する高圧水発生機（Ｊ）と、噴射ガン（Ｇ）と、上記高圧水発生機（Ｊ）と上記噴射ガン（Ｇ）を連通連結する可撓管体（Ｈ）と、を備え、上記ポンプ（Ｐ）からの高圧水を上記可撓管体（Ｈ）を介して上記噴射ガン（Ｇ）から噴射するように構成し、上記噴射ガン（Ｇ）が、細長管体（１）と、該細長管体（１）の基端に付設された基端グリップ部（２）と、上記細長管体（１）の中間に付設された中間グリップ部（３）と、を有する高圧水噴射装置に於て、
上記モータ（Ｍ）をＯＮ／ＯＦＦさせる信号を送信する送信ユニット（Ｓ）を上記中間グリップ部（３）に内蔵するとともに、上記信号を受信してモータ（Ｍ）をＯＮ／ＯＦＦさせる受信ユニット（Ｒ）を上記高圧水発生機（Ｊ）に付設したことを特徴とする高圧水噴射装置。
【請求項２】
上記中間グリップ部（３）を上記細長管体（１）に着脱自在に付設した請求項１記載の高圧水噴射装置。
【請求項３】
上記送信ユニット（Ｓ）のスイッチ（Ｎ）を、上記中間グリップ部（３）の底部に設けた請求項１又は２記載の高圧水噴射装置。
【請求項４】
上記中間グリップ部（３）が防水カバー（９）を有し、該中間グリップ部（３）内に水が浸入することを防止するように構成した請求項１，２又は３記載の高圧水噴射装置。
【発明の詳細な説明】
【技術分野】
【０００１】
本発明は、高圧水噴射装置に関する。
【背景技術】
【０００２】
従来、高圧水を噴射して汚れを除去等する高圧水噴射装置として、細長管体と、細長管体の基端に付設された基端グリップ部と、細長管体の中間に付設された中間グリップ部と、を有する噴射ガンに、可撓管体から高圧水を送り込む高圧水噴射装置が用いられている（例えば、特許文献１参照）。すなわち、噴射ガンは、可撓管を介して高圧水発生機を連通連結している。そして、高圧水発生機は、高圧水を発生するためのポンプとポンプを駆動するモータを有する。
【０００３】
しかし、基端グリップに設けられたレバーを操作して噴射ガンからの水の噴射を停止した際、モータ及びポンプは駆動したままで、ポンプから流出した水が、循環回路（循環運転配管）を循環するように構成されていたので、常にモータが回転しており、無駄な電気代がかかるという欠点があった。また、水の温度が上昇するという欠点や、循環運転によってモータやポンプや弁類が故障する確率が高まるという欠点があった。
【先行技術文献】
【特許文献】
【０００４】
【特許文献１】特開２００８−４９２７０号公報
【発明の概要】
【発明が解決しようとする課題】
【０００５】
解決しようとする課題は、無駄な電気代がかかるという点である。また、水の温度が上昇する点である。また、循環運転によるモータやポンプや弁類が故障する確率が高まる点である。
【課題を解決するための手段】
【０００６】
そこで、本発明に係る高圧水噴射装置は、ポンプと該ポンプを駆動するモータを有する高圧水発生機と、噴射ガンと、上記高圧水発生機と上記噴射ガンを連通連結する可撓管体と、を備え、上記ポンプからの高圧水を上記可撓管体を介して上記噴射ガンから噴射するように構成し、上記噴射ガンが、細長管体と、該細長管体の基端に付設された基端グリップ部と、上記細長管体の中間に付設された中間グリップ部と、を有する高圧水噴射装置に於て、上記モータをＯＮ／ＯＦＦさせる信号を送信する送信ユニットを上記中間グリップ部に内蔵するとともに、上記信号を受信してモータをＯＮ／ＯＦＦさせる受信ユニットを上記高圧水発生機に付設したものである。
【０００７】
また、上記中間グリップ部を上記細長管体に着脱自在に付設したものである。
また、上記送信ユニットのスイッチを、上記中間グリップ部の底部に設けたものである。
また、上記中間グリップ部が防水カバーを有し、該中間グリップ部内に水が浸入することを防止するように構成したものである。
【発明の効果】
【０００８】
本発明の高圧水噴射装置によれば、必要に応じてモータを回転させるので、無駄な電気代がかかることを防止することができる。また、水の温度が上昇することを防止することができる。さらに、循環運転により、前記水の温度上昇に伴ってキャビテーションの発生も起り易く、かつ、キャビテーションによる振動等による故障を防止して、モータやポンプや配管等の寿命が延びる。
【図面の簡単な説明】
【０００９】
【図１】本発明の実施の一形態を示す図である。
【図２】構成図である。
【図３】中間グリップ部の断面正面図である
【図４】要部拡大正面図である。
【図５】中間グリップ部の正面図である。
【図６】シール材を示す断面正面図である。
【発明を実施するための形態】
【００１０】
以下、図示の実施の形態に基づいて本発明を詳説する。
図１・図２は、本発明の実施の一形態を示し、この高圧水噴射装置は、ポンプＰとポンプＰを駆動するモータＭを有する高圧水発生機Ｊと、噴射ガンＧと、高圧水発生機Ｊと噴射ガンＧを連通連結する可撓管体Ｈと、を備え、ポンプＰからの高圧水を可撓管体Ｈを介して噴射ガンＧから噴射するように構成される。噴射ガンＧが、細長管体（ランス）１と、細長管体１の基端に付設された基端グリップ部２と、細長管体１の中間に付設された中間グリップ部３と、を有する。噴射ガンＧから噴射された高圧水によって、洗車したり、除雪したり、汚れを除去したりすることができる。すなわち、噴射ガンＧを、洗浄ガン、除雪ガン、ハツリガン等として使用することができる。また、高圧水発生機Ｊは、箱型ケーシングＣを有する。
【００１１】
図３に示すように、モータＭ（図１・図２参照）をＯＮ／ＯＦＦさせる信号を送信する送信ユニットＳを中間グリップ部３に内蔵する。信号を受信してモータＭをＯＮ／ＯＦＦさせる受信ユニットＲが高圧水発生機Ｊに付設される。なお、受信ユニットＲは高圧水発生機ＪのケーシングＣの内外いずれに付設しても良い。また、受信ユニットＲを防水仕様とする。
【００１２】
中間グリップ部３が細長管体１に着脱自在に付設される。具体的には、中間グリップ部３は、握り部４とブロック体５とを備える。握り部４に雄ネジ部６が固着される。ブロック体５は細長管体１を挿通させる孔部７を有する。ブロック体５は孔部７に開口する雌ネジ部８を有する。孔部７に細長管体１を挿通し、雄ネジ部６を雌ネジ部８に螺進させて、中間グリップ部３を細長管体１に固定取着する。送信ユニットＳのスイッチＮが、中間グリップ部３の底部に設けられる。Ｂはボタン電池を示す。Ｅは通信基板を示す。
【００１３】
図３・図４に示すように、中間グリップ部３がゴム製防水カバー９を有し、中間グリップ部３内に水が浸入することを防止するように構成される。防水カバー９は、上方開口状カバー本体部10と、上蓋部11と下蓋部12を有する。上蓋部11の下面13に全体閉環状の防水用上突起14が設けられるとともに、下蓋部12の上面15に全体閉環状の防水用下突起16が設けられる。上突起14と下突起16を非対向状に設ける。カバー本体部10は、開口部17に内鍔部18を有する。上突起14と下突起16にて内鍔部18を挟込んで防水する。図３・図４・図６に示すように、上蓋部11と下蓋部12の間に円環状シール材19が配設される。シール材19は、円環状メタル20と、メタル20の内周側に一体状の円環状弾性ゴム部21とから成る。そして、図６に示した自由状態のシール材19は、図３と図４に示すように、組付状態では弾性圧縮力を受けて、弾性ゴム部21の内周面部22が雄ネジ部６の谷部に入り、一層シール性が向上する。
【００１４】
次に、スイッチＮの操作について説明する。中間グリップ部３の底部外側から防水カバー９を介して図５の矢印Ａ方向にスイッチＮ（図３参照）を押すことで、防水カバー９が、図５に２点鎖線にて示すように凹み変形して、ＯＮ−ＯＦＦを切替えることができる。
【００１５】
本発明に於て、「水」には湯を含むものとする。「高圧水」は高圧の湯を含む。
【００１６】
本発明は、設計変更可能であって、例えば、上突起14と下突起16を対向状に設けるも良い。また、異なる複数（例えば３種）の外径の細長管体１に中間グリップ部３を付設自在とするために、各々の外径に対応した内径の孔部７を有する複数のブロック体５を交換自在に備えるも好ましい。また、基端グリップ部２に水を噴射又は停止切替自在とするレバーを設けるとともに、ポンプＰの吐出部と吸込部を連結する循環回路を付設して、リリーフ弁を設けることにより、送信ユニットＳからモータＭをＯＦＦする信号を送信せずに、細長管体１の先端からの水の噴射を停止した場合に、ポンプから吐出する水が循環回路を介して循環するように構成するも良い。
【００１７】
以上のように、本発明は、ポンプＰとポンプＰを駆動するモータＭを有する高圧水発生機Ｊと、噴射ガンＧと、高圧水発生機Ｊと噴射ガンＧを連通連結する可撓管体Ｈと、を備え、ポンプＰからの高圧水を可撓管体Ｈを介して噴射ガンＧから噴射するように構成し、噴射ガンＧが、細長管体１と、細長管体１の基端に付設された基端グリップ部２と、細長管体１の中間に付設された中間グリップ部３と、を有する高圧水噴射装置に於て、モータＭをＯＮ／ＯＦＦさせる信号を送信する送信ユニットＳを中間グリップ部３に内蔵するとともに、信号を受信してモータＭをＯＮ／ＯＦＦさせる受信ユニットＲを高圧水発生機Ｊに付設したので、必要に応じてモータＭを回転させて、無駄な電気代がかかることを防止することができ、また、モータＭ、ポンプＰ等の寿命が延びる。また、モータＭを停止させて水の温度が上昇することを防止することができる。
【００１８】
また、中間グリップ部３を細長管体１に着脱自在に付設したので、既存の高圧水噴射装置の中間グリップ部３を交換し、高圧水発生機Ｊに受信ユニットＲを付設して、容易に製造することができる。
また、送信ユニットＳのスイッチＮを、中間グリップ部３の底部に設けたので、（中間グリップ部３の側面部に設けると強く握って噴射作業を行うとスイッチＮを誤動作させる虞れがあるが、）誤ってスイッチＮをＯＮ／ＯＦＦすることを防止することができる。
また、中間グリップ部３が防水カバー９を有し、中間グリップ部３内に水が浸入することを防止するように構成したので、中間グリップ部３内に配設された送信ユニットＳが損傷することを防止することができる。
【符号の説明】
【００１９】
１  細長管体（ランス）
２  基端グリップ部
３  中間グリップ部
９  防水カバー
Ｇ  噴射ガン
Ｈ  可撓管体
Ｊ  高圧水発生機
Ｍ  モータ
Ｎ  スイッチ
Ｐ  ポンプ
Ｒ  受信ユニット
Ｓ  送信ユニット
【図１】
2015093213.tif 000003
【図２】
2015093213.tif 000004
【図３】
2015093213.tif 000005
【図４】
2015093213.tif 000006
【図５】
2015093213.tif 000007
【図６】
2015093213.tif 000008